(57)【要約】【課題】  ユニットバスと隣接空間との一体化を演出することができ、使用する者に空間の広がり感、開放感を与えることが可能なユニットバスの納まり構造を提供する。【解決手段】  ユニットバス（１）の防水パン（１５）を、隣接空間（２）との境界付近まで延設して、上方に開口した凹溝（１６）を先端に形成し、該凹溝（１６）内にガラス間仕切り（３）の下端部を挿入することによって、該ガラス間仕切り（３）を立設し、ユニットバス（１）及び隣接空間（２）の天井仕上げ材（３４）（３５）をそれぞれ載置可能な載置部（３２）（３３）を有する凹部材（３０）に、該ガラス間仕切り（３）の上端部を嵌め入れることによって、該ガラス間仕切り（３）を固定し、該ガラス間仕切り（３）を挟んで、ユニットバス（１）の床面（２５）と隣接空間（２）の床面（２５）、ユニットバス（１）の天井面（３６）と隣接空間（２）の天井面（３７）、がそれぞれ略面一となるように構成した。【選択図】  図２
2007107236.tif 000002
【特許請求の範囲】
【請求項１】
ユニットバスとそれに隣接して配置される隣接空間との間に、ガラス間仕切りを介設するユニットバスの納まり構造であって、
ユニットバスの防水パンを、隣接空間との境界付近まで延設して、上方に開口した凹溝を先端に形成し、
該凹溝内にガラス間仕切りの下端部を挿入することによって、該ガラス間仕切りを立設し、
ユニットバス及び隣接空間の天井仕上げ材をそれぞれ載置可能な載置部を有する凹部材に、該ガラス間仕切りの上端部を嵌め入れることによって、該ガラス間仕切りを固定し、
該ガラス間仕切りを挟んで、ユニットバスの床面と隣接空間の床面、ユニットバスの天井面と隣接空間の天井面、がそれぞれ略面一となるようにしたユニットバスの納まり構造。
【請求項２】
該ガラス間仕切りの一部に、ユニットバスに出入りするためのガラス扉を設け、
該ガラス扉を設置する部分に沿って、ユニットバス側の床面に、該床面と略面一となるグレーチングを被装した排水溝を凹設するようにした請求項１に記載のユニットバスの納まり構造。
【請求項３】
ユニットバスの床面と隣接空間の床面、ユニットバスの天井面と隣接空間の天井面、がそれぞれ略同一の表面仕上感を有する内装材を用いて仕上げられるようにした請求項１又は２に記載のユニットバスの納まり構造。
【発明の詳細な説明】
【技術分野】
【０００１】
本発明は、ユニットバスの納まり構造に関し、特にガラス間仕切りを用いたユニットバスの納まり構造に関する。
【背景技術】
【０００２】
従来、ユニットバスといえば、矩形状の平面をなし、四方に鋼製の壁パネルを立設し、その一部に折り畳み式等のドアを設けて、ドアを介して隣接する洗面所等と連通可能に構成したものが公知である。そして、隣接する洗面所等の開口部において額縁状に設けられたドア取り付け枠に、ユニットバスのドア枠のアングルピースをビスによって固定するようにした納まり構造が一般的に用いられている。
【０００３】
これに対して、ユニットバスのドア枠と、隣接する洗面所等の開口部の位置ずれを容易に吸収して、取り付けの納まりを向上させる技術を開示したものとして、例えば特許文献１がある。
【０００４】
【特許文献１】特開２００１−７３６３５
【発明の開示】
【発明が解決しようとする課題】
【０００５】
しかしながら、上記特許文献１を含む従来のユニットバスの納まり構造によれば、ユニットバスとそれに隣接する洗面所等の隣接空間とは縁が切られて、ユニットバスと隣接空間とではそれぞれ別々に内装の仕上げが行われ、額縁状のドア取り付け枠に固定されたユニットバスのドアを介してのみユニットバスと隣接空間とが繋げられるものであるため、ユニットバスと隣接空間との一体感が無く、使用する者にとって開放感にも欠けるものであった。
【０００６】
そこで、本発明は上記問題に鑑みてなされたものであり、ユニットバスと隣接空間との一体化を演出することができ、使用する者に空間の広がり感、開放感を与えることが可能なユニットバスの納まり構造を提供することを目的とするものである。
【課題を解決するための手段】
【０００７】
上記の課題を解決するために、請求項１に記載のユニットバスの納まり構造は、ユニットバスとそれに隣接して配置される隣接空間との間に、ガラス間仕切りを介設するユニットバスの納まり構造であって、
ユニットバスの防水パンを、隣接空間との境界付近まで延設して、上方に開口した凹溝を先端に形成し、
該凹溝内にガラス間仕切りの下端部を挿入することによって、該ガラス間仕切りを立設し、
ユニットバス及び隣接空間の天井仕上げ材をそれぞれ載置可能な載置部を有する凹部材に、該ガラス間仕切りの上端部を嵌め入れることによって、該ガラス間仕切りを固定し、
該ガラス間仕切りを挟んで、ユニットバスの床面と隣接空間の床面、ユニットバスの天井面と隣接空間の天井面、がそれぞれ略面一となるようにしたことを要旨とする。
【０００８】
また、請求項２に記載のユニットバスの納まり構造は、請求項１に記載の構成において、該ガラス間仕切りの一部に、ユニットバスに出入りするためのガラス扉を設け、
該ガラス扉を設置する部分に沿って、ユニットバス側の床面に、該床面と略面一となるグレーチングを被装した排水溝を凹設するようにしたことを要旨とする。
【０００９】
また、請求項３に記載のユニットバスの納まり構造は、請求項１又は２に記載の構成において、ユニットバスの床面と隣接空間の床面、ユニットバスの天井面と隣接空間の天井面、がそれぞれ略同一の表面仕上感を有する内装材を用いて仕上げられるようにしたことを要旨とする。
【発明の効果】
【００１０】
本発明によれば、ユニットバスとそれに隣接して配置される隣接空間との間に、ガラス間仕切りを介設し、ガラス間仕切りを挟んで、ユニットバスの床面と隣接空間の床面、ユニットバスの天井面と隣接空間の天井面、がそれぞれ略面一となるように構成したため、ユニットバスと隣接空間との一体化を演出することができ、使用する者に空間の広がり感、開放感を与えることが可能となる。
【発明を実施するための最良の形態】
【００１１】
本発明は、ユニットバスとそれに隣接して配置される隣接空間との間に、従来のユニットバスで用いられていた壁パネル等に替えて、ガラス間仕切りを設けるようにしたものである。ガラス間仕切りは、ユニットバスと隣接空間との境界域全面に設けることが好ましく、ガラスを用いることによる効果を顕著にするべく、ガラス間仕切りを挟んで、ユニットバスの床面と隣接空間の床面、ユニットバスの天井面と隣接空間の天井面、がそれぞれ略面一となるようにして構成する。そして、そのために、ユニットバスの防水パンを、隣接空間との境界付近まで延設して、上方に開口した凹溝を先端に形成し、該凹溝内にガラス間仕切りの下端部を挿入することによって、該ガラス間仕切りを立設し、ユニットバス及び隣接空間の天井仕上げ材をそれぞれ載置可能な載置部を有する凹部材に、該ガラス間仕切りの上端部を嵌め入れることによって、該ガラス間仕切りを固定するように構成する。
【００１２】
従来のユニットバスの納まり構造においては、ユニットバスと隣接空間との間に介設される壁パネルの裏側に、隣接空間側の壁仕上げ材を設置し、ユニットバスの床と隣接空間の床、ユニットバスの天井と隣接空間の天井、がそれぞれ直接取り合うことは無かったが、本発明では、上記構成によって取り合い部の処理を行い、ユニットバスと隣接空間との一体化を図ったものである。
【００１３】
また、在来工法では、防水性能等の品質面で現場の施工精度に依存する部分が非常に大きく、長期間にわたって品質を保証することは困難であるが、本発明は、高い防水性能を備えたユニットバスによって長期間にわたる品質保証を可能としつつ、在来工法と同等のデザイン性の高い空間を提供することを可能としたものである。
【００１４】
なお、ガラス間仕切りは、ユニットバスの一面だけでなく、複数の面に設けることとしてもよく、本発明は、ユニットバス及び隣接空間の形状、大きさ、付属設備等に拘わらず用いることができる。本発明において「隣接空間」とは、典型的には、洗面所、脱衣室、トイレ等の住宅等においてユニットバスに通常隣接して配設される室空間をいうものとするが、ここに列挙した用途以外に用いられるものであってもよい。
【実施例１】
【００１５】
本発明の第１の実施例を図１〜図３に基づいて説明する。本実施例は、本発明の一実施形態を示すものであり、図１に示すように、ユニットバス（１）に隣接して、洗面脱衣室の機能を有する隣接空間（２）が配置されるものである。ユニットバス（１）と隣接空間（２）との間には、飛散防止フィルムを貼設した透明強化ガラス（厚さ１０ｍｍ）からなるガラス間仕切り（３）（３’）、及びユニットバス（１）への出入りを行うためのガラス扉（３ａ）が介設されている。また、隣接空間（２）の一角には、洗面カウンター（２ａ）が配設されている。
【００１６】
ユニットバス（１）には、図１に示すように、洗い場（５）と浴槽（６）が配設されており、これらの下方全域には、平面視において洗い場（５）及び浴槽（６）よりも若干大きな面積を全体として有する防水パン（１５）が一体的に形成されて設置されている（図２参照）。防水パン（１５）底部には、図示しない配水管が接続されており、洗い場（５）及び浴槽（６）にそれぞれ設置される排水口（７）（８）を介して防水パン（１５）に貯留される水を排水するようになされている。防水パン（１５）の外周縁においては、ガラス間仕切り（３）（３’）、及び壁パネル（１０）（１１）（１２）が四方に立設されており、さらに壁パネル（１１）等の適所の位置には、窓（１３）及び、図示しない湯水混合栓、シャワーヘッド等の諸設備が設けられている。
【００１７】
図２に示すように、防水パン（１５）は、隣接空間（２）との境界付近まで延設され、上方に開口した凹溝（１６）を先端に形成している。凹溝（１６）内には、それと係合するレール状の凹部材（１８）が、適宜の間隔で配設されるビス（１９）によって固定され、底面にスペーサー（２０）を嵌め込んだ凹部材（１８）に、ガラス間仕切り（３）（３’）の下端部を挿入することによって、ガラス間仕切り（３）（３’）を立設するようになされている。ガラス間仕切り（３）（３’）と凹部材（１８）内側面との間の隙間はコーキング（２１）によって処理される。
そして、洗い場（５）の床面と隣接空間（２）の床面とは、同一の表面仕上感を有するタイル（２３）（２４）によって仕上げられるとともに、ガラス間仕切り（３）（３’）を挟んで、洗い場の床面（２５）と隣接空間の床面（２６）とが略面一に連続するようになされている。
【００１８】
図２に示すように、ガラス間仕切り（３）（３’）は、ガラス間仕切り（３）（３’）上方に設置される長尺の凹部材（３０）に、ガラス間仕切り（３）（３’）の上端部を下方から嵌め入れることによって固定される。
凹部材（３０）は、図２に示すように、角パイプ状部材（３０ａ）と、その下方に延設形成されるアングル状の第１の載置部（３３）と、第１の載置部（３３）に対向して別体で配置されるアングル状の第２の載置部（３２）とを備えて、角パイプ状部材（３０ａ）の下方に凹部（３０ｂ）を形成するように構成されている。第２の載置部（３２）は、下方からビス（３０ｃ）を用いて角パイプ状部材（３０ａ）に固定されている。ガラス間仕切り（３）（３’）と凹部材（３０）に形成される凹部（３０ｂ）との間の隙間はコーキング（３１）によって処理される。
図２に示すように、第１の載置部（３３）には、隣接空間（２）の天井仕上げ材（３５）が載置されるとともに、第２の載置部（３２）には、ユニットバス（１）の天井仕上げ材（３４）が載置され、尚且つそれらを載置した際に、ガラス間仕切り（３）（３’）を挟んで、隣接空間の天井面（３７）とユニットバスの天井面（３６）とが略面一に連続するようになされている。また、ユニットバス（１）の天井仕上げ材（３４）と隣接空間（２）の天井仕上げ材（３５）とは、略同一の表面仕上感を有する内装材を用いて仕上げられている。
【００１９】
また、同様にして、ユニットバス（１）の壁面（１０ａ）（１２ａ）と隣接空間（２）の壁面（２ｂ）（２ｃ）も、略同一の表面仕上感を有する内装材を用いて仕上げられるとともに、図１に示すように、ガラス間仕切り（３）（３’）を挟んで、ユニットバス（１）の壁面（１０ａ）と隣接空間（２）の壁面（２ｂ）、ユニットバス（１）の壁面（１２ａ）と隣接空間（２）の壁面（２ｃ）、がそれぞれ略面一に連続するようになされている。
【００２０】
ガラス扉（３ａ）は、図１に示すように、ガラス間仕切り（３’）側を吊り元として、側面に丁番を用いて設置されており、図３に示すように、上下にクリアランスをとって、ユニットバス（１）及び隣接空間（２）の天井高よりも若干短い長さの高さで形成されている。図３に示すように、ガラス扉（３ａ）が設置される部分の上下の凹部材（１８）及び（３０）には、弾性素材等からなる沓摺キャップ（４０）及び&#26979;キャップ（４１）が嵌設され、それぞれビスによって固定されている。
【００２１】
また、図１及び図３に示すように、ユニットバス（１）の洗い場（５）において使用する湯水がガラス扉（３ａ）下端から隣接空間（２）側に浸入するのを防止するために、ガラス扉（３ａ）が設置される部分に沿って、ユニットバス（１）側の床面には排水溝（４３）が凹設され、グレーチング（４４）が被装されている。グレーチング（４４）の上面の高さは、洗い場の床面（２５）と略同一となるようになされている。なお、排水溝（４３）は、図示しない排水管に接続されている。ガラス扉（３ａ）の縁辺に、高気密性を有するゴム状の部材等を設けて、より完全な止水を行うようにしてもよい。
【００２２】
以上、本実施例によれば、ユニットバス（１）と隣接空間（２）との間の境界域全面に、ガラス間仕切り（３）（３’）及びガラス扉（３ａ）を設けて、ユニットバス（１）及び隣接空間（２）の一方から他方を透視可能に構成したため、使用する者にとって高い開放感が得られる。
また、ガラス間仕切り（３）（３’）及びガラス扉（３ａ）を挟んで、ユニットバス（１）及び隣接空間（２）の床面、天井面、壁面をそれぞれ略同一の表面仕上感を有する内装仕上げ材を用いて略面一に仕上げるように構成したため、ユニットバス（１）及び隣接空間（２）の一方から他方を見たときに、床面、天井面、壁面がそれぞれ連続しているように感じられ、ユニットバス（１）と隣接空間（２）とが一体となって広々とした空間を演出することが可能となる。
【実施例２】
【００２３】
本発明の第２の実施例を図４に基づいて説明する。本実施例は、前実施例の変形例を示すものであり、図４に示すように、洋室等居室の機能を有する隣接空間（２）の一角（建物隅角部）に、脱衣室等の前室を設けることなくユニットバス（１）を配置したものである。
【００２４】
図４に示すように、ユニットバス（１）の建物隅角部二方には、壁パネル（１０）（１１）が立設されるとともに、隣接空間（２）に面するその他の二方には実施例１と同様にして、ガラス間仕切り（３）（３ｂ）及びガラス扉（３ａ）が立設されている。壁パネル（１１）には、屋外に連通する窓（１３）が極力大きく開口されている。
図４に示すように、ガラス扉（３ａ）とガラス間仕切り（３ｂ）とが取り合うコーナー部分には方立（４６）が設けられ、さらに、ガラス間仕切り（３）と壁パネル（１０）及び壁面（２ｂ）、ガラス間仕切り（３ｂ）と壁パネル（１１）及び（壁面２ｄ）が取り合う部分にも、それぞれ方立（４７）（４８）が設けられている。なお、洗い場（５）に隣接しては、洋風の置型タイプの浴槽（６’）が設置されている。
【００２５】
そして、本実施例においても、本発明の納まり構造によって、ユニットバス（１）の天井面と隣接空間（２）の天井面、ユニットバス（１）の床面と隣接空間の床面（２）、さらにユニットバス（１）の壁面（１０ａ）と隣接空間（２）の壁面（２ｂ）、ユニットバス（１）の壁面（１１ａ）と隣接空間（２）の壁面（２ｄ）、がそれぞれ略同一の表面仕上感を有する内装仕上げ材を用いて、それぞれ略面一となるように構成されている。
【００２６】
本実施例によれば、窓（１３）により屋外から十分な採光が確保できるとともに、ユニットバス（１）と隣接空間（２）とは、全てガラス間仕切り（３）（３ｂ）及びガラス扉（３ａ）によって仕切られているため、ユニットバス（１）と隣接空間（２）との連続感・一体感がきわめて高く、明るく、開放的なユニットバス（１）を提供することが可能となる。
【実施例３】
【００２７】
本発明の第３の実施例を図５を参照しながら説明する。本実施例は、本発明のその他の実施形態を示すものであり、図５に示すように、ユニットバス（５０）に隣接して、洗面脱衣室兼トイレの機能を有する隣接空間（５１）が配置されるものである。
【００２８】
図５に示すように、隣接空間（５１）にはトイレ（５１ａ）及び洗面カウンター（５１ｂ）が配設されている。また、ユニットバス（５０）と隣接空間（５１）との間には、実施例１と同様にして、ガラス間仕切り（５３）（５３’）、及びガラス扉（５３ａ）が介設されている。
【００２９】
そして本実施例では、図５に示すように、ユニットバス（５０）が、外壁（６１）によって囲われ上方に向かって吹抜構造とされた坪庭（６０）に面するようにして配置されており、坪庭（６０）に面する側も本発明に係るガラス間仕切り（５４）によって構成されている。ガラス間仕切り（５３’）（５４）が取り合うコーナー部分には、方立（５５）が設けられている。
【００３０】
本実施例によれば、屋内の隣接空間（５１）に面する部分だけでなく、屋外の坪庭（６０）に面する部分にもガラス間仕切り（５４）を用いるようにしたため、ユニットバス（１）と屋外空間である坪庭（６０）との一体化が図られ、ユニットバス（１）内でありながら屋外にいるかのような開放感を得ることが可能となる。
【産業上の利用可能性】
【００３１】
本発明は、ユニットバスと隣接空間との一体化を演出することができ、使用する者に空間の広がり感、開放感を与えることが可能なユニットバスの納まり構造を提供するものであり、産業上の利用可能性を有する。
【図面の簡単な説明】
【００３２】
【図１】実施例１に係るユニットバスの納まり構造を示す平面図である。
【図２】図１におけるＸ〜Ｘ’断面図である。
【図３】図１におけるＹ〜Ｙ’断面図である。
【図４】実施例２に係るユニットバスの納まり構造を示す平面図である。
【図５】実施例３に係るユニットバスの納まり構造を示す平面図である。
【符号の説明】
【００３３】
１  ユニットバス
２  隣接空間
２ａ  洗面カウンター
２ｂ、２ｃ、２ｄ  壁面
３、３’  ガラス間仕切り
３ａ  ガラス扉
３ｂ  ガラス間仕切り
５  洗い場
６、６’  浴槽
７、８  排水口
１０、１１、１２  壁パネル
１０ａ、１１ａ、１２ａ  壁面
１３  窓
１５  防水パン
１５ａ  防水パンリブ
１６  凹溝
１８  凹部材
１９  ビス
２０  スペーサー
２１  コーキング
２３  タイル
２４  タイル
２４ａ  下地材
２５  洗い場床面
２６  隣接空間床面
３０  凹部材
３０ａ  角パイプ状部材
３０ｂ  凹部
３０ｃ  ビス
３１  コーキング
３２、３３  載置部
３４、３５  天井仕上げ材
３６  ユニットバス天井面
３７  隣接空間天井面
４０  沓摺キャップ
４１  &#26979;キャップ
４３  排水溝
４４  グレーチング
４６、４７、４８  方立
５０  ユニットバス
５１  隣接空間
５１ａ  便器
５１ｂ  洗面カウンター
５３、５３’  ガラス間仕切り
５３ａ  ガラス扉
５４  ガラス間仕切り
５５  方立
５６  浴槽
５７、５８  壁パネル
６０  坪庭
６１  外壁  
【図１】
2007107236.tif 000003
【図２】
2007107236.tif 000004
【図３】
2007107236.tif 000005
【図４】
2007107236.tif 000006
【図５】
2007107236.tif 000007